(57)【要約】【課題】畦形成機における畦形成装置の構造を見直し、粘土質圃場においても仕上りの良い畦形成装置を備えた畦形成機を提供する。【解決手段】走行車に装着するための装着部と、旧畦を砕土する砕土爪を有した土盛装置と、砕土された旧畦の上面を形成する上面形成体と側面を形成する側面形成体からなる畦形成装置とを有し、土盛装置と畦形成装置は回転駆動され畦形成作業を行なう畦形成機において、側面形成体は上面形成体の一端部より外方に向け径大となる円錐面を有し、表面は放射状に分割され連続した複数の分割片にて構成され、この分割片は、回転方向に対し前進角を設け後端部に隣接させた分割片の前方部を重合させて構成するとともに、回転方向に対し後端縁を波形形状としたことにより、分割片の後端部に土が付着することなく、土離れが良くなりきれいな畦を形成することができる。【選択図】      図２
2004337055.tif 000002
【特許請求の範囲】
【請求項１】
走行車に装着するための装着部と、旧畦を砕土する砕土爪を有した土盛装置と、砕土された旧畦の上面を形成する上面形成体と側面を形成する側面形成体からなる畦形成装置とを有し、土盛装置と畦形成装置は回転駆動され畦形成作業を行なう畦形成機において、側面形成体は上面形成体の一端部より外方に向け径大となる円錐面を有し、表面は放射状に分割され連続した複数の分割片にて構成され、この分割片は、回転方向に対し前進角を設け後端部に隣接させた分割片の前方部を重合させて構成するとともに、回転方向に対し後端縁を波形形状としたことを特徴とした畦形成機。
【発明の詳細な説明】
【０００１】
【発明の属する技術分野】
本発明は、畦形成機における畦形成装置の構成に関する。
【０００２】
【従来の技術】
従来の畦形成機における畦形成装置の構成として、同一出願人により、トラクタに装着され畦形成箇所に沿って移動され、畦形成箇所に土を盛り上げ状態に供給する土盛装置と、土盛装置の移動方向の後方に設置される畦形成装置とを有し、畦形成装置は土を盛り上げ状態とされた畦形成箇所の上を回転しながら通過させる円筒回転体と、円筒回転体の回転駆動力供給側に取り付けられ回転駆動供給側にいく程径大となり、円筒回転体の中央に向けた傾斜面を有するとともに、表面は放射状の分割片に分割され、各々の分割片は進行方向に対して前進角を設けてなり、隣接する分割片の相互は逃げ角をもって側面視ジグザグ状に連結される円錐回転体とからなる畦形成機が提案され公知である。（特許文献１）
【０００３】
【特許文献１】
特許第３１４８６７８号明細書
【０００４】
【発明が解決しようとする課題】
従来技術の構成では、放射状に形成された分割片の回転方向に対する後端縁を直線状としているため、粘土質圃場での畦形成作業を行う場合、分割片の後端部に粘土質の土が付着し形成する畦の表面をまくり上げ波立たせ仕上りが粗悪となる。又、粘性がさらに強くなった圃場では形成する畦の表面を剥離させ、団子状にまるめ込み畦形成面の仕上りが悪くなる。
【０００５】
そこで本発明は、畦形成機における畦形成装置の構造を見直し、粘土質圃場においても仕上りの良い畦形成装置を備えた畦形成機を提供することを目的とする。
【０００６】
【課題を解決するための手段】
上記課題を解決するために、走行車に装着するための装着部と、旧畦を砕土する砕土爪を有した土盛装置と、砕土された旧畦の上面を形成する上面形成体と側面を形成する側面形成体からなる畦形成装置とを有し、土盛装置と畦形成装置は回転駆動され畦形成作業を行なう畦形成機において、側面形成体は上面形成体の一端部より外方に向け径大となる円錐面を有し、表面は放射状に分割され連続した複数の分割片にて構成され、この分割片は、回転方向に対し前進角を設け後端部に隣接させた分割片の前方部を重合させて構成するとともに、回転方向に対し後端縁を波形形状としたことにより、分割片の後端部に土が付着することなく、土離れが良くなりきれいな畦を形成することができる。
【０００７】
【発明の実施の形態】
本発明を実施した図面に基づいて構成を説明する。図１は本発明を実施した畦形成機の平面図、図２は同畦形成機の畦形成装置の斜視図、図３は同畦形成機の畦形成装置の分割片を示す平面図、図４は畦形成作業を示す斜視図、図５は分割片の作用図である。
【０００８】
図１において、Ａは畦形成機を示し、１の装着部、２の土盛装置、３の畦形成装置から構成される。
【０００９】
１の装着部は、水平方向に延設したフレーム１１と、このフレーム１１より前方に突設され、図示されていないが走行車であるトラクタの三点リンクに装着される装着マスト１２と、フレーム１１の略中央部にはミッションケース１３が配置され構成される。
【００１０】
ミッションケース１３には前方に向けた入力軸１３ａが設けられ、この入力軸１３ａは、図示されていないがトラクタＰＴＯ軸よりユニバーサルジョイント１４を介しトラクタの駆動力を畦形成機Ａへ入力するものである。
【００１１】
２の土盛装置は、砕土爪２１を爪軸２２の軸芯に対し放射状に複数設けたロータリ２３と、このロータリ２３を回転駆動するためロータリ２３の一端を固着するロータリ出力軸２４を有したロータリ駆動ケース２５により構成され、前記装着部１のフレーム１１の一端にロータリ２３を作業進行方向に対し前方に配置するよう支持される。前記ロータリ駆動ケース２５の内部には、チェーン減速機２６が備えてある。
【００１２】
３の畦形成装置は、前記土盛装置２の後方に配置され、旧畦の上面を形成する上面形成体３１と、旧畦の側面を形成する側面形成体３２と、この上面形成体３１と側面形成体３２を回転駆動するための畦形成駆動軸３３を有した畦形成駆動ケース３４とから構成され、前記装着部１のフレーム１１の一端に、前記ロータリ駆動ケース２５とともに支持される。前記畦形成駆動ケース３４の内部には、チェーン減速機３５が備えてある。
【００１３】
駆動伝達について説明すると、前記ミッションケース１３より前方に突設させた入力軸１３ａに、図示されていないがトラクタＰＴＯ軸よりユニバーサルジョイント１４を介し駆動力が入力されると、ミッションケース１３の内部に設けたベベルギヤ１３ｂ，１３ｃを介し減速され、水平方向に延設しパイプ体にて構成されたフレーム１１の内部に回転可能に設けた駆動軸１３ｄへと伝達する。
【００１４】
ロータリ駆動ケース２５内部に備えたチェーン減速機２６は、前記駆動軸１３ｄに固着されたスプロケット２６ａと、前記ロータリ出力軸２４の内方端に固着したスプロケット２６ｂと、これらスプロケット２６ａ，２６ｂに巻架したチェーン２６ｃから構成され、駆動軸１３ｄが駆動することにより、ロータリ出力軸２４に固着されたロータリ２３をチェーン減速機２６によりさらに減速し回転させる。
【００１５】
畦形成駆動ケース３４の内部に備えたチェーン減速機３５は、前記駆動軸１３ｄに固着したスプロケット３５ａと、畦形成駆動ケース３４から水平方向に突出する畦形成出力軸３３の内方端に固着したスプロケット３５ｂと、これらスプロケット３５ａ，３５ｂに巻架したチェーン３５ｃから構成され、駆動軸１３ｄが駆動することにより、畦形成出力軸３３に固着された上面形成体３１及び側面形成体３２をチェーン減速機３５によりさらに減速し回転させる。
【００１６】
図２及び図３に基づいて畦形成装置３の上面形成体３１及び側面形成体３２のについて説明する。上面形成体３１は、前記畦形成出力軸３３の外方端部に取り付けられるボス３１ａと、このボス３１ａに嵌合する円筒形状の上面ローラ３１ｂから構成され、側面形成体３２は、前記上面形成体３１の一端部となるボス３１ａの外周部より畦形成駆動軸３３側となる外方へ向け徐々に径大となる円錐面を形成するよう放射状に分割し、連結させ複数設けた分割片３２ａと各々の分割片３２ａを連結するため外周部にリング３２ｂを設け構成される。
【００１７】
分割片３２ａは、回転方向ｆに対し後方となる後端縁に波形部ａを形成している。連続させて複数設けた分割片３２ａは回転方向ｆに対し前進角が設けられ、後端部に隣接させた分割片３２ａの前方部を下面に重合させ、段差を設けて側面視ジグザグ状に配置し円錐面を形成する。
【００１８】
このように構成した畦形成装置３の作用は図４及び図５に示すように、図示されていないがトラクタに装着されＦ方向に走行しながら畦形成装置３の上面形成体３１と側面形成体３２をｆ方向に回転駆動させ、土盛装置２にて砕土された旧畦の畦形成作業を行う。前記上面形成体３１と側面形成体３２の回転速度は、トラクタ作業速度すなわち走行速度より速く回転するよう設定され、畦形成面をスリップ状態で締上げる。
【００１９】
分割片３２ａの後端部は、上面形成体３１の一端部より外方へ向け徐々に径大とし、側面形成体３２の回転軌跡となる円錐面Ｓ１と一致させ回転方向ｆに対し前進角αを設けるとともに、後端部に隣接させた分割片３２ａの前方部を下面に重合させ側面視ジグザグ状とする。この側面視ジグザク状とした段差を有した円錐面にて畦形成面Ｈに対し断続した圧力をかけ畦側面を締上げる。
【００２０】
そして、分割片３２ａの後端部に形成された波形部ａは、回転中心Ｇに対し波形形状の頂点部を結ぶ半径Ｒａと、波形形状の谷部を結ぶ半径Ｒｂに差を設けることで、畦形成面Ｈに対する押圧量が変化し押圧力が加減され、図４に示すように畦形成面Ｈは押圧力が分散され粘土質の土に対して土離れが良く、適度な圧力で締上げることができる。
【００２１】
【発明の効果】
以上のように、側面形成体の分割片の後端部に波形形状を有することで、畦形成面に対し押圧量を変化させ押圧力を加減することができるので、畦形成面は押圧力が分散され粘土質の土に対し土離れがよく適度な圧力で締上げることができ、きれいな畦を形成することができる。
【図面の簡単な説明】
【図１】本発明を実施した畦形成機の平面図
【図２】同畦形成機の畦形成装置の斜視図
【図３】同畦形成機の畦形成装置の分割片を示す平面図
【図４】畦形成作業を示す斜視図
【図５】分割片の作用図本発明を実施した畦形成機の平面図
【符号の説明】
１      装着部
１１    フレーム
１２    装着マスト
１３    ミッションケース
１３ａ  入力軸
１３ｂ，１３ｃ    ベベルギヤ
１３ｄ  駆動軸
１４    ユニバーサルジョイント
２      土盛装置
２１    砕土爪
２２    爪軸
２３    ロータリ
２４    ロータリ出力軸
２５    ロータリ駆動ケース
２６    チェーン減速機
２６ａ，２６ｂ    スプロケット
２６ｃ  チェーン
３      畦形成装置
３１    上面形成体
３１ａ  ボス
３１ｂ  上面ローラ
３２    側面形成体
３２ａ  分割片
３２ｂ  リング
３３    畦形成出力軸
３４    畦形成駆動ケース
３５    チェーン減速機
３５ａ，３５ｂ    スプロケット
３５ｃ  チェーン
Ａ      畦形成機
Ｈ      畦形成面
ａ      波形部
【図１】
2004337055.tif 000003
【図２】
2004337055.tif 000004
【図３】
2004337055.tif 000005
【図４】
2004337055.tif 000006
【図５】
2004337055.tif 000007